(57)【要約】【課題】  品確法に基づいて正確に表示できる床衝撃音の遮断性能表示方法を提供することにある。【解決手段】  測定プラン室Ｐにおいて発生させた床衝撃音を階下で捕らえて求めた遮断性能を、建物１のプラン室Ｒのおける床衝撃音の遮断性能として表示する床衝撃音の遮断性能表示方法であって、測定プラン室Ｐは、建物のプラン室Ｒと同一の床構造と同一の床材で構成され、可動間仕切り以外で区画されない大空間になされ、前記測定プラン室Ｐの床面積は建物のプラン室Ｒの床面積を超えても最大１．３倍までの範囲であることを特徴とする。【選択図】  図１
2006113032.tif 000002
【特許請求の範囲】
【請求項１】
測定プラン室において発生させた床衝撃音を階下で捕らえて求めた床衝撃音の遮断性能を、建物のプラン室のおける床衝撃音の遮断性能として表示する床衝撃音の遮断性能表示方法であって、測定プラン室は、建物のプラン室と同一の床構造と同一の床材で構成され、可動間仕切り以外で区画されない大空間になされ、前記測定プラン室の床面積は建物のプラン室の床面積を超えても最大１．３倍までの範囲であることを特徴とする床衝撃音の遮断性能表示方法。
【請求項２】
床衝撃音の遮断性能を、重量床衝撃音と軽量床衝撃音の遮断性能にて表示することを特徴とする請求項１記載の床衝撃音の遮断性能表示方法。
【発明の詳細な説明】
【技術分野】
【０００１】
本発明は、室内で発生した床衝撃音の遮断性能の表示方法に関する。
【背景技術】
【０００２】
我が国において、２０００年４月に住宅品質確保促進法(以下、品確法)が施工され、１０月に品確法性能表示制度がスタートした。住宅の性能表示制度は、消費者に対し住宅の性能を判りやすく示すため、全国共通の尺度を提供するもので、地震や台風などに対する強度、火災時の安全、防湿、防腐、防蟻処理といった建物の劣化対策の他、音環境として騒音に対する遮断性能も含まれる。
【０００３】
従来、騒音に対する遮音性能は、特許文献１に記載されているようなシミュレーションシステムによって体験できる。この遮音性能シミュレーションシステムは、外部記憶装置に多種の騒音と壁や天井等の対象部位の仕様ごとの減衰量のデータを記録するとともに、この騒音とデータを呼び出し可能とし、騒音を減衰させて再生し、対象部位を透過した騒音を体験可能にしたものである。このように、騒音に対する遮音性能は、壁や天井等の対象部位の仕様によって決定される。
【特許文献１】特開平７−２１８３２９号公報
【発明の開示】
【発明が解決しようとする課題】
【０００４】
しかしながら、上記特許文献１に記載のようなシミュレーションシステムは、例えば住宅展示場のような特定の場所に設置しなければ、体験できないし、このような展示場に顧客が足を運ばなければならないという問題があった。また、床衝撃音の遮断性能は、壁や天井等の対象部位の仕様によって決まる上記特許文献１記載の遮音性能と同様、基本的には室の床構造と床仕上げ材にて決定されるが、室の床面積によっても大きく異なる。全ての室の床構造と床仕上げ材を変更して同じ性能値とすることは主客転倒のことであり、室の床面積毎に性能値を表示するものとすると性能値を出すのに手間が掛かり、一部の部屋での性能値を建物の性能として表示すると不正確であるという問題があった。また、可動間仕切りを移動すると当初提示した床衝撃音の遮断性能より悪くなり、性能表示が不正確になるという問題もあった。
【０００５】
本発明の課題は、品確法に基づいて正確に表示できる床衝撃音の遮断性能表示方法を提供することにある。
【課題を解決するための手段】
【０００６】
請求項１記載の発明は、測定プラン室において発生させた床衝撃音を階下で捕らえて求めた床衝撃音の遮断性能を、建物のプラン室のおける床衝撃音の遮断性能として表示する床衝撃音の遮断性能表示方法であって、測定プラン室は、建物のプラン室と同一の床構造と同一の床材で構成され、可動間仕切り以外で区画されない大空間になされ、前記測定プラン室の床面積は建物のプラン室の床面積を超えても最大１．３倍までの範囲であることを特徴とする。
【０００７】
測定プラン室は、顧客に提供される建物の部屋を可動間仕切りの無い大空間状態にしたものでもよく、又、顧客に提供される建物と略同等の建物にて、可動間仕切りの無い大空間状態の部屋を測定プラン室としてもよい。顧客に提供される部屋も可動間仕切りがされない大空間となる場合でも、この顧客に提供される部屋の床面積の１．３分の１以上の床面積があれば測定プラン室として用いることができる。
【０００８】
プラン室は、顧客に提供される予定の状態の部屋であり、可動間仕切りがされない大空間でも良いし、可動間仕切りがされなくても測定プラン室より小さな部屋でも良いし、可動間仕切りにより仕切られたそれぞれの部屋であっても良い。可動間仕切りにより仕切られた部屋同士は異なる大きさであってもよい。
【０００９】
可動間仕切りは、大空間の部屋を仕切って小さな空間の部屋を形成するものであり、移動可能な壁などである。収納装置を兼ねた可動収納間仕切りでもよい。これらは建物の提供とは別に提供されるものであってもよく、当初可動間仕切りを無いものとし、後日可動間仕切りを大空間の部屋に取り付け、小さな空間の部屋を形成してもよい。
【００１０】
請求項２記載の発明は、請求項１記載の床衝撃音の遮断性能表示方法において、床衝撃音の遮断性能を、重量床衝撃音と軽量床衝撃音の遮断性能にて表示することを特徴とする。
【発明の効果】
【００１１】
請求項１記載の本発明の床衝撃音の遮断性能表示方法によると、測定プラン室は、建物のプラン室と同一の床構造と同一の床材で構成され、可動間仕切り以外で区画されない大空間になされているので、可動間仕切りで仕切られた部屋は、可動間仕切りの配置を変えても、大空間での床衝撃音の遮断性能より良いものとなっている。従って、大空間である測定プラン室での性能より悪い性能のところが無いので、床衝撃音の遮断性能として表示しても、その表示性能を満たさずに不正確となることが無く、床衝撃音の遮断性能に対する床面積の影響をなくすることができる。そして、前記測定プラン室の床面積は建物のプラン室の床面積を超えても最大１．３倍までの範囲であり、品確法上１．３倍までの床面積では同一構造及び同一仕上げでの性能として認められているから、上記表示方法は品確法に基づいたものである。この結果、建物の仕様規格毎に１つの床衝撃音の遮断性能を表示するだけで、性能表示としては十分となる。
【００１２】
請求項２記載の発明によると、さらに、床衝撃音の遮断性能を、重量床衝撃音と軽量床衝撃音の遮断性能にて表示するので、一層正確に表示できる。
【発明を実施するための最良の形態】
【００１３】
図１〜図４は、本発明の一実施の形態であって、図１（ａ）は測定プラン室、（ｂ）〜（ｆ）は建物の各種プラン室の平面図である。図２はユニット式建物の断面図である。図３は図２の建物を構成する建物ユニットの斜視図である。図４は床構造の一部を示す斜視図である。図において、１は建物、２は床パネル、３は壁パネルである。
【００１４】
本実施の形態において、図２に示す建物１は、ユニット方式の建物であって、複数の建物ユニットＵを隣接配置して構築された二階建ての建物である。建物１を構成する建物ユニットＵは、図３に示すように、床パネル２の周縁部に壁パネル３を立設した壁式工法のものであるが、柱、梁から箱形の骨組みを構成した軸組み式のものであってもよい。図３（ａ）の建物ユニットＵは、床パネル２の三方に壁パネル３が平面視コ字型に立設された「コ字型建物ユニット」であり、（ｂ）の建物ユニットＵは、床パネル２の対向する短辺側の二辺に壁パネル３,３が平面視ニ字型に立設された「ニ字型建物ユニット」である。
【００１５】
本実施の形態は、図１（ａ）に示す測定プラン室Ｐにおいて発生させた床衝撃音の重量床衝撃音と軽量床衝撃音を階下で捕らえて求めた遮断性能を、図２に示す建物１のプラン室Ｒ１〜Ｒ５のおける床衝撃音の遮断性能として表示する床衝撃音の遮断性能表示方法である。上記測定プラン室Ｐは、建物のプラン室Ｒ１〜Ｒ５と同一の床構造２０と同一の床材(不図示)で構成され、可動間仕切り以外で区画されない大空間になされている。床構造２０の一例は、図４に示すように、床パネル２の周囲に設けられた床大梁２１と、対向する床大梁２１間に平行に配列された複数の床小梁２２と、床小梁２２に直交して設けられた複数の床根太２３とから構成されている。床材としては、パーチクルボード等の床下地材の上にフローリング等を貼り付けて構成してもよい。また、前記測定プラン室Ｐの床面積Ｓは、建物１のプラン室Ｒ１〜Ｒ５の床面積Ｓを超えても最大１．３倍までの範囲である。
【００１６】
測定プラン室Ｐは、図１(ａ)に示すように、両側に二つのコ字型の建物ユニットＵを配置し、中央に二つのニ字型の建物ユニットＵを隣接配置して構成されている。測定プラン室Ｐの一辺の寸法Ｌ１は、建物ユニットＵの長辺側寸法に相当し、測定プラン室Ｐの前記一辺と直交する他辺側の寸法Ｌ２は、建物ユニットＵの短辺側寸法の４倍に相当する。具体的には、以下のようになされている。
寸法Ｌ１＝５４００ｍｍ、寸法Ｌ２＝９９００ｍｍ、床面積Ｓ＝５３．４６ｍ２
【００１７】
建物１のプラン室Ｒは、上記測定プラン室Ｐと同じ構成の同一床面積になされていてもよいが、他の例として建物１のプラン室Ｒ１〜Ｒ５を、図1(ｂ)〜(ｆ)に示している。尚、これらのプラン室Ｒ、Ｒ１〜Ｒ５を可動間仕切りにより仕切った場合、それぞれの部屋はプラン室Ｒ、Ｒ１〜Ｒ５より小さくなるので、可動間仕切りの無いこのプラン室Ｒ、Ｒ１〜Ｒ５の床衝撃音の遮断性能の表示で良い。以下、可動間仕切りの無い、異なる大きさのプラン室Ｒ１〜Ｒ５の場合について説明する。
【００１８】
プラン室Ｒ１は、両側に二つのコ字型の建物ユニットＵを配置し、中央に二つのニ字型の建物ユニットＵを隣接配置して構成されているが、紙面上下側のコ字型建物ユニットＵの短辺側寸法は、上側のコ字型建物ユニットＵの短辺側寸法の半分になされている。プラン室Ｒ１の具体的寸法は以下のとおりである。
寸法Ｌ１＝５４００ｍｍ、寸法Ｌ２＝９０００ｍｍ、床面積Ｓ＝４８．６ｍ２
前記測定プラン室Ｐの床面積Ｓ（５３．４６ｍ２）は、建物１のプラン室Ｒ１の床面積Ｓ（４８．６ｍ２）の１．１倍である。
【００１９】
プラン室Ｒ２は、両側に二つのコ字型の建物ユニットＵを配置し、中央に一つのニ字型の建物ユニットＵを隣接配置して構成されている。プラン室Ｒ２の具体的寸法は以下のとおりである。
寸法Ｌ１＝５４００ｍｍ、寸法Ｌ２＝７４２５ｍｍ、床面積Ｓ＝４０．１０ｍ２
前記測定プラン室Ｐの床面積Ｓ（５３．４６ｍ２）は、建物１のプラン室Ｒ２の床面積Ｓ（４０．１０ｍ２）の１．３倍である。
【００２０】
プラン室Ｒ３は、両側に二つのコ字型の建物ユニットＵを配置し、中央に二つのニ字型の建物ユニットＵを隣接配置して構成されている。プラン室Ｒ３の具体的寸法は以下のとおりである。
寸法Ｌ１＝４５００ｍｍ、寸法Ｌ２＝９９００ｍｍ、床面積Ｓ＝４４．５５ｍ２
前記測定プラン室Ｐの床面積Ｓ（５３．４６ｍ２）は、建物１のプラン室Ｒ３の床面積Ｓ（４４．５５ｍ２）の１．２倍である。
【００２１】
プラン室Ｒ４は、両側に二つのコ字型の建物ユニットＵを配置し、中央に二つのニ字型の建物ユニットＵを隣接配置して構成されている。プラン室Ｒ４の具体的寸法は以下のとおりである。
寸法Ｌ１＝４５００ｍｍ、寸法Ｌ２＝９０００ｍｍ、床面積Ｓ＝４０．５ｍ２
前記測定プラン室Ｐの床面積Ｓ（５３．４６ｍ２）は、建物１のプラン室Ｒ４の床面積Ｓ（４０．５ｍ２）の１．３倍である。
【００２２】
プラン室Ｒ５は、両側に二つのコ字型の建物ユニットＵを配置し、中央に二つのニ字型の建物ユニットＵを隣接配置して構成されている。プラン室Ｒ５の具体的寸法は以下のとおりである。
寸法Ｌ１＝４１００ｍｍ、寸法Ｌ２＝９９００ｍｍ、床面積Ｓ＝４０．６ｍ２
前記測定プラン室Ｐの床面積Ｓ（５３．４６ｍ２）は、建物１のプラン室Ｒ５の床面積Ｓ（４０．６ｍ２）の１．３倍である。
【００２３】
上記のように構成された本実施の形態の床衝撃音の遮断性能表示方法によると、以下のような作用効果がある。
【００２４】
（１）測定プラン室Ｐは、建物のプラン室Ｒ１〜Ｒ５と同一の床構造と同一の床材で構成され、可動間仕切り以外で区画されない大空間になされているので、床衝撃音の遮断性能に対する床面積の影響をなくすることができ、床衝撃音の遮断性能を正確に表示できる。そして、前記測定プラン室Ｐの床面積は建物のプラン室Ｒ１〜Ｒ５の床面積を超えても最大１．３倍までの範囲であり、品確法上１．３倍までの床面積では同一構造及び同一仕上げでの性能として認められているから、上記表示方法は品確法に基づいたものである。もちろん、これらのプラン室Ｒ１〜Ｒ５を可動間仕切りで仕切った部屋をプラン室としても、床衝撃音の遮断性能の表示としては十分なものとなる。
【００２５】
（２）さらに、床衝撃音の遮断性能を、重量床衝撃音と軽量床衝撃音の遮断性能にて表示するので、一層正確に表示できる。
【００２６】
以上、本発明を実施の形態に基づいて説明してきたが、本発明は上記実施の形態に限られるものではなく、本発明の要旨を逸脱しない範囲の設計の変更等があっても本発明に含まれる。
【産業上の利用可能性】
【００２７】
本発明の床衝撃音の遮断性能表示方法は、顧客に対し住宅の騒音に対する遮音性能を判りやすく示すことができ、品確法性能表示制度に基づいた住宅に適用できる。
【図面の簡単な説明】
【００２８】
【図１】本発明の一実施の形態であって、（ａ）は測定プラン室、（ｂ）〜（ｆ）は建物の各種プラン室の平面図である。
【図２】ユニット式建物の断面図である。
【図３】図２の建物を構成する建物ユニットの斜視図である。
【図４】床構造の一部を示す斜視図である。
【符号の説明】
【００２９】
１    建物
２    床パネル
３    壁パネル
２０  床構造
Ｐ    測定プラン室
Ｒ１〜Ｒ５  建物のプラン室
【図１】
2006113032.tif 000003
【図２】
2006113032.tif 000004
【図３】
2006113032.tif 000005
【図４】
2006113032.tif 000006